(57)【要約】【課題】記録媒体に形成された画像を示す電子化された画像情報を秘匿性を確保しつつ容易に取得することを可能とする画像情報提供システムを提供する。【解決手段】画像処理装置は、記録媒体に画像を形成する画像形成手段と、画像を示す画像情報を暗号化した暗号化画像情報、及び該暗号化画像情報を取得可能な情報処理装置を識別する識別情報を記録媒体に添付されるＩＣタグに記録する記録手段と、暗号化画像情報を復号化する鍵情報を、暗号化画像情報を取得可能な情報処理装置に提供する鍵情報提供手段と、を有する。【選択図】図６
2008141584.tif 000002
【特許請求の範囲】
【請求項１】
画像処理装置と情報処理装置とを有する画像情報提供システムであって、
前記画像処理装置は、
記録媒体に画像を形成する画像形成手段と、
前記画像を示す画像情報を暗号化した暗号化画像情報、及び該暗号化画像情報を取得可能な情報処理装置を識別する識別情報を前記記録媒体に添付されるＩＣタグに記録する記録手段と、
前記暗号化画像情報を復号化する鍵情報を、前記暗号化画像情報を取得可能な情報処理装置に提供する鍵情報提供手段と、
を有し、
前記情報処理装置は、
前記鍵情報提供手段により提供される鍵情報を取得する鍵情報取得手段と、
前記記録手段により前記ＩＣタグに記録された前記暗号化画像情報及び前記識別情報を取得する記録情報取得手段と、
当該情報処理装置を示す識別情報と、前記記録情報取得手段により取得された識別情報とが一致しているか否かを判断する判断手段と、
前記判断手段により一致していると判断された場合に、前記鍵情報取得手段により取得された鍵情報を用いて前記記録情報取得手段により取得された暗号化画像情報を復号化する復号手段と、
を有する画像情報提供システム。
【請求項２】
前記記録媒体は、前記暗号化画像情報を分割して記録するために、分割された各々の暗号化画像情報を記録するための複数のＩＣタグを有し、
前記記録手段は、前記分割された各々の暗号化画像情報を結合する際の画像位置を示す位置情報を、該位置情報が示す画像位置に対応する暗号化画像情報が記録されるＩＣタグに更に記録し、
前記記録情報取得手段は、前記記録手段により前記ＩＣタグに記録された前記位置情報を前記記録媒体から更に取得し、
前記復号手段は、前記鍵情報取得手段により取得された鍵情報を用いて前記記録情報取得手段により各々のＩＣタグから取得された複数の暗号化画像情報を復号化し、
前記情報処理装置は、前記復号手段により復号化された複数の画像情報を前記位置情報が示す画像位置に基づき結合する結合手段を更に有する請求項１に記載の画像情報提供システム。
【発明の詳細な説明】
【技術分野】
【０００１】
本発明は、画像情報提供システムに関し、特に記録媒体に形成された画像を示す画像情報を提供する画像情報提供システムに関する。
【背景技術】
【０００２】
近年、近距離通信及び情報の記録が可能なＩＣタグが普及している。このＩＣタグは、無線タグ、ＲＦＩＤ（Radio Frequency Identification）タグ、ＩＤタグ、電磁誘導タグ等と呼ばれることもあるが、本明細書では、これらを総称してＩＣタグという。
【０００３】
このようなＩＣタグを用いた技術として、引用文献１には、名刺としての役割を果たしながら名刺を電子化して名刺情報の管理を可能とする無線タグ付き名刺プレート作成管理システムが開示されている。また、引用文献２には、小型のプリントに、画像、音声、動画等の多彩なデータを付加することで、プリントを受け取った相手が多彩な情報を得ることができるシステム及び方法が開示されている。更に特許文献３には、資料の紛失を検知し、かつラベルと資料との組合せや資料相互間の組合せの不適合をも検知することが可能な、資料管理システムが開示されている。
【特許文献１】特開２００５−１９００７１号公報
【特許文献２】特開２００４−１６４１１９号公報
【特許文献３】特開２００３−２０６００７号公報
【発明の開示】
【発明が解決しようとする課題】
【０００４】
このような技術背景において、文字や絵などの画像が形成された紙などの記録媒体を配布された場合、その記録媒体に形成された画像を示す電子化された画像情報を秘匿性を確保しつつ容易に取得することができないという問題点があった。
【０００５】
本発明は上記問題点に鑑み、記録媒体に形成された画像を示す電子化された画像情報を秘匿性を確保しつつ容易に取得することを可能とする画像情報提供システムを提供することを目的とする。
【課題を解決するための手段】
【０００６】
上記目的を達成するために請求項１の発明は、画像処理装置と情報処理装置とを有する画像情報提供システムであって、前記画像処理装置は、記録媒体に画像を形成する画像形成手段と、前記画像を示す画像情報を暗号化した暗号化画像情報、及び該暗号化画像情報を取得可能な情報処理装置を識別する識別情報を前記記録媒体に添付されるＩＣタグに記録する記録手段と、前記暗号化画像情報を復号化する鍵情報を、前記暗号化画像情報を取得可能な情報処理装置に提供する鍵情報提供手段と、を有し、前記情報処理装置は、前記鍵情報提供手段により提供される鍵情報を取得する鍵情報取得手段と、前記記録手段により前記ＩＣタグに記録された前記暗号化画像情報及び前記識別情報を取得する記録情報取得手段と、当該情報処理装置を示す識別情報と、前記記録情報取得手段により取得された識別情報とが一致しているか否かを判断する判断手段と、前記判断手段により一致していると判断された場合に、前記鍵情報取得手段により取得された鍵情報を用いて前記記録情報取得手段により取得された暗号化画像情報を復号化する復号手段と、を有する。
【０００７】
請求項１の発明によれば、画像情報提供システムは画像処理装置と情報処理システムとを有し、画像処理装置は、画像形成手段が記録媒体に画像を形成し、記録手段が前記画像を示す画像情報を暗号化した暗号化画像情報、及び該暗号化画像情報を取得可能な情報処理装置を識別する識別情報を前記記録媒体に添付されるＩＣタグに記録し、鍵情報提供手段が前記暗号化画像情報を復号化する鍵情報を、前記暗号化画像情報を取得可能な情報処理装置に提供する。一方、情報処理装置は、鍵情報取得手段が前記鍵情報提供手段により提供される鍵情報を取得し、記録情報取得手段が前記記録手段により前記ＩＣタグに記録された前記暗号化画像情報及び前記識別情報を取得し、判断手段が当該情報処理装置を示す識別情報と、前記情報取得手段により取得された識別情報とが一致しているか否かを判断し、復号手段が前記判断手段により一致していると判断された場合に、前記鍵情報取得手段により取得された鍵情報を用いて前記記録情報取得手段により取得された暗号化画像情報を復号化する。
【０００８】
このように本発明によれば、画像が形成された記録媒体に、画像を示す暗号化された画像情報を記録したＩＣタグを添付することにより、記録媒体に添付されたＩＣタグから暗号化画像情報を得て、その暗号化画像情報を復号化することができるので、記録媒体に形成された画像を示す電子化された画像情報を秘匿性を確保しつつ容易に取得することを可能とする画像情報提供システムを提供することができる。
【０００９】
また、本発明は、請求項２の発明のように、前記記録媒体が、前記暗号化画像情報を分割して記録するために、分割された各々の暗号化画像情報を記録するための複数のＩＣタグを有し、前記記録手段が、前記分割された各々の暗号化画像情報を結合する際の画像位置を示す位置情報を、該位置情報が示す画像位置に対応する暗号化画像情報が記録されるＩＣタグに更に記録し、前記記録情報取得手段が、前記記録手段により前記ＩＣタグに記録された前記位置情報を前記記録媒体から更に取得し、前記復号手段が、前記鍵情報取得手段により取得された鍵情報を用いて前記記録情報取得手段により各々のＩＣタグから取得された複数の暗号化画像情報を復号化し、前記情報処理装置が、前記復号手段により復号化された複数の画像情報を前記位置情報が示す画像位置に基づき結合する結合手段を更に有する。
【００１０】
従って、請求項２の発明によれば、一つのＩＣタグに記録できないサイズの画像情報を記録することが可能となる。
【発明の効果】
【００１１】
本発明によれば、記録媒体に形成された画像を示す電子化された画像情報を秘匿性を確保しつつ容易に取得することを可能とする画像情報提供システムを提供することができるという効果が得られる。
【発明を実施するための最良の形態】
【００１２】
以下、図面を参照して、本発明の実施の形態について詳細に説明する。なお、本実施の形態における「画像」は、記録媒体に形成可能な画像であれば良く、具体的には文字のみからなる文書画像や写真画像、グラフィック画像等の単独、或いはそれらを組み合わせた画像である。
【００１３】
図１は、本実施の形態に係る画像情報提供システムを示す図である。同図に示されるように、画像情報提供システムは、画像処理装置１０、情報処理装置（以下、クライアントと記す）１１、及びそれらを接続するネットワーク１２を含む。
【００１４】
画像処理装置１０は、紙や印画紙、或いはＯＨＰフイルムなどの記録媒体に画像を形成すると共に、ＩＣタグに情報を暗号化して記録することも可能とされている。本実施の形態においてＩＣタグに記録される情報は、記録媒体に形成する画像を示す画像情報を暗号化した暗号化画像情報である。なお、上記ＩＣタグは、記録媒体に予め添付されているか、或いは画像形成時に添付するようにしても良い。
【００１５】
また、本実施の形態における画像処理装置１０は、クライアント１１に電子メールを送信することも可能となっている。
【００１６】
クライアント１１は、パソコンやＰＤＡ（携帯情報端末）等であり、ＩＣタグに記録されている情報を取得することが可能なＩＣタグリーダ機能を有する。また、クライアント１１は、電子メールを受信することが可能である。同図では、クライアントは１台のみ描かれているが、クライアントは複数存在するようにしても良い。
【００１７】
ネットワーク１２は、ＬＡＮやインターネットなどのネットワークである。
【００１８】
次に、上記画像処理装置１０の構成について、図２を用いて説明する。画像処理装置１０は、各々バスＢにより接続されたＣＰＵ（Central Processing Unit）１３と、ＨＤＤ（Hard Disk Drive）１４と、ＲＡＭ（Random Access Memory）１５と、ネットワークＩ／Ｆ部１６と、ＲＯＭ（Read Only Memory）１７と、表示部１８と、操作入力部１９と、プリンタエンジン２０と、ＩＣタグ情報記録デバイス２１とを含む。
【００１９】
ＣＰＵ１３は、画像処理装置１０の全体的な動作を司るものであり、後述するプログラムは、ＣＰＵ１３により実行される。ＨＤＤ１４は、後述するデータベース、ＯＳ（Operating System）などが記録される不揮発性の記憶装置である。ＲＡＭ１５は、ＯＳ、プログラム、及びデータが展開される揮発性の記憶装置である。ネットワークＩ／Ｆ部１６は、ネットワーク１２に接続するためのものであり、ＮＩＣやそのドライバ等で構成される。ＲＯＭ１７は、画像処理装置１０の起動時に動作するブートプログラムなどが記憶されている不揮発性の記憶装置である。表示部１８は、各種情報を表示するものである。操作入力部１９は、オペレータが画像処理装置１０の操作をする場合や画像処理装置１０に情報を入力する際に用いられるものである。プリンタエンジン２０は、画像情報に基づき記録媒体に画像を形成するものである。ＩＣタグ情報記録デバイス２１は、ＩＣタグに情報を記録するものである。このＩＣタグ情報記録デバイス２１は、記録媒体に予めＩＣタグが添付されている場合、添付されたＩＣタグに情報を記録するが、予めＩＣタグが添付されていない場合、記録媒体にＩＣタグを添付するためのＩＣタグ添付メカも含む。
【００２０】
次に、上記クライアント１１の構成について、図３を用いて説明する。クライアント１１は、各々バスＢにより接続されたＣＰＵ３３と、ＨＤＤ３４と、ＲＡＭ３５と、ネットワークＩ／Ｆ部３６と、ＲＯＭ３７と、表示部３８と、操作入力部３９と、ＩＣタグ情報取得デバイス４０とを含む。
【００２１】
ＣＰＵ３３は、クライアント１１の全体的な動作を司るものであり、後述するプログラムは、ＣＰＵ３３により実行される。ＨＤＤ３４は、ＯＳなどが記録される不揮発性の記憶装置である。ＲＡＭ３５は、ＯＳ、プログラム、及びデータが展開される揮発性の記憶装置である。ネットワークＩ／Ｆ部３６は、ネットワーク１２に接続するためのものであり、ＮＩＣやそのドライバ等で構成される。ＲＯＭ３７は、クライアント１１の起動時に動作するブートプログラムなどが記憶されている不揮発性の記憶装置である。表示部３８は、各種情報を表示するものである。操作入力部３９は、オペレータがクライアント１１の操作をする場合やクライアント１１に情報を入力する際に用いられるものである。ＩＣタグ情報取得デバイス４０は、ＩＣタグに記録されている情報を取得するものである。
【００２２】
次に、画像処理装置１０のＨＤＤ１４に記録される画像情報データベース（以下、画像ＤＢと記す）の構造を、図４を用いて説明する。
【００２３】
画像ＤＢは、同図に示されるように、画像情報ＩＤ、画像名情報、鍵情報、出力日時、枚数、及び１つ以上の識別情報を含む構造となっている。
【００２４】
画像情報ＩＤは、対応する画像情報を識別する情報である。画像名情報は、画像情報が記録されたファイル名を示す情報である。このファイル名の画像情報は、例えばＨＤＤ１４に記録されている。鍵情報は、対応する鍵情報を暗号化及び復号化する際に用いられる鍵を示す情報である。本実施の形態の場合、共通鍵暗号を用いているため、鍵情報は１つのみとなる。
【００２５】
出力日時は、対応する画像情報により示される画像が記録媒体に形成された日時を示す情報である。枚数は、画像情報が示す画像を記録媒体に形成した際の記録媒体の枚数を示す情報である。各識別情報は、暗号化画像情報を取得可能なクライアントを識別する情報であり、本実施の形態ではメールアドレスを用いている。なお、識別情報は、メールアドレスに限らず、例えばクライアントのコンピュータ名、或いはＩＰアドレスなど、クライアントを識別可能なものであれば良い。
【００２６】
次に、図５を用いて、ＩＣタグが添付された記録媒体の構成例について説明する。同図に示されるように、ＩＣタグは記録媒体に１つ以上（図では４つ）添付される。添付されるＩＣタグの数は、画像情報のサイズと、ＩＣタグの記録容量により定まる。画像情報を複数のＩＣタグに記録する場合、後述するように暗号化画像情報を分割し、分割した暗号化画像情報が各ＩＣタグに記録される。
【００２７】
以下、フローチャートを用いて画像情報提供システムで実行される各処理について説明する。まず、図６、図７を用いて、記録媒体に添付されるＩＣタグが１つの場合に実行される処理について説明し、図８、図９を用いて、記録媒体に添付されるＩＣタグが複数の場合に実行される処理について説明する。
【００２８】
図６には、画像処理装置１０で実行される処理を示すフローチャートが示されている。まず、ステップ１０１で、ＣＰＵ１３は、画像情報（以下、処理対象画像情報と記す）に基づき、記録媒体に画像を形成するようにプリントエンジン２０を制御する。次のステップ１０２で、ＣＰＵ１３は、処理対象画像情報を暗号化し、ステップ１０３で、暗号化画像情報、画像ＤＢ（図４参照）に記録された識別情報をＩＣタグ情報記録デバイス２１によりＩＣタグに記録する。そして、ステップ１０４で、ＣＰＵ１３は、復号化するための鍵情報を識別情報に示されるメールアドレス宛に電子メールで送信することにより、暗号化画像情報を取得可能なクライアントに提供する。なお、この電子メールは暗号化されている。
【００２９】
以上が画像処理装置１０での処理である。上記処理により画像が形成された記録媒体は、例えば会議の参加者に配布される。記録媒体が配布された参加者は、配布された記録媒体から、以下に説明するクライアントで実行される処理により、記録媒体に形成された画像を示す電子化された画像情報を取得する。
【００３０】
このクライアント１１で実行される処理を、図７のフローチャートを用いて説明する。まず、ステップ２０１で、ＣＰＵ３３は、鍵情報を上述した電子メールにより取得する。次のステップ２０２で、ＣＰＵ３３は、ＩＣタグ情報取得デバイス４０により、配布された記録媒体に添付されているＩＣタグに記憶された暗号化画像情報、識別情報Ａを取得し、ステップ２０３で、クライアント１１自身の識別情報Ｂを取得する。なお、クライアント１１の識別情報Ｂは、クライアント１１が電子メールを受信可能であるため、電子メール受信ソフトウェアが管理するデータを参照することにより取得することができる。
【００３１】
次のステップ２０４で、ＣＰＵ３３は、識別情報Ａと識別情報Ｂとが一致するか否か判断する。ステップ２０４で肯定判断された場合、ステップ２０５で、上記ステップ２０１の処理により取得した鍵情報を用いて、上記ステップ２０２で取得した暗号化画像情報を復号化する。一方、ステップ２０４で否定判断された場合は本処理を終了する。
【００３２】
以上の処理においては、配布された記録媒体に記録された情報をＩＣタグ情報取得デバイス４０に取得させるだけで画像情報を取得することができるので、記録媒体に形成された画像を示す電子化された画像情報を容易に取得することができる。
【００３３】
また、鍵情報は、画像ＤＢにより、暗号化画像情報を取得可能なクライアントのみにしか通知されないので、セキュリティを高めることができる。なお、悪意の第三者が上記電子メールを転送しても、電子メールが転送されたクライアントの識別情報とＩＣタグに記録された識別情報とが異なるため、画像情報を取得することはできない。
【００３４】
次に、図８、図９を用いて、記録媒体に添付されるＩＣタグが複数の場合に実行される処理について説明する。
【００３５】
図８には、画像処理装置１０で実行される処理を示すフローチャートが示されている。まず、ステップ３０１で、ＣＰＵ１３は、処理対象画像情報に基づき、記録媒体に画像を形成する。次のステップ３０２で、ＣＰＵ１３は、処理対象画像情報を暗号化する。
【００３６】
次にＣＰＵ１３は、ステップ３０３で、Ｎに［Ｌ／Ｍ］を代入する。ここで、Ｌは、暗号化画像情報のサイズであり、Ｍは、一つのタグに記録可能な情報量のサイズである。また、記号［］はガウス記号である。従って、Ｎは、暗号化画像情報を記録するＩＣタグの数の目安となる。
【００３７】
次のステップ３０４で、ＣＰＵ１３は、変数の初期化を行う。具体的には、ループカウンタｋに０を代入し、ＩＣタグに暗号化画像情報を記録する場合に用いられるポインタａｄに暗号化画像情報の先頭アドレスを代入する。
【００３８】
次にＣＰＵ１３は、ステップ３０５でｋ番目のＩＣタグに位置情報ｋ、及び画像ＤＢ（図４参照）に記録された識別情報を記録し、ステップ３０６でｋ番目のＩＣタグにポインタａｄからサイズＭだけ画像情報を記録する。
【００３９】
次に、ＣＰＵ１３は、ステップ３０７でループカウンタｋを１つ増分し、ポインタａｄにサイズＭだけ加えた新たなアドレスをポインタａｄに代入する。
【００４０】
次に、ＣＰＵ１３は、ステップ３０８で、ｋ＞Ｎか否かを判断する。この判断は、全ての暗号化画像情報をＩＣタグに記録したか否かの判断である。この判断で否定判断された場合、次のＩＣタグに暗号化画像情報を記録するため、再びステップ３０５の処理が実行される。
【００４１】
一方、否定判断された場合は、ＩＣタグへの暗号化画像情報の記録が終えた場合なので、ＣＰＵ１３は、ステップ３０９で、復号化するための鍵情報を識別情報に示されるメールアドレス宛に電子メールで送信することにより、暗号化画像情報を取得可能なクライアントに提供する。なお、この電子メールは暗号化されている。
【００４２】
以上説明した処理においては、セキュリティを高めるために、各ＩＣタグ毎に識別情報を記録しているが、各ＩＣタグではなく、１つのＩＣタグのみに識別情報を記録するようにしても良い。
【００４３】
次に、クライアント１１で実行される処理を、図９のフローチャートを用いて説明する。まず、ステップ４０１で、ＣＰＵ３３は、鍵情報を上述した電子メールにより取得する。次のステップ４０４で、ＣＰＵ３３は、クライアントの識別情報Ｂを取得する。
【００４４】
ステップ４０３で、ＣＰＵ３３は、ＩＣタグ情報取得デバイス４０によりＩＣタグに記憶された暗号化画像情報、識別情報Ａを取得し、ステップ４０４で、ＣＰＵ３３は、識別情報Ａと識別情報Ｂとが一致するか否か判断する。ステップ４０４で肯定判断された場合、ステップ４０５で、先ほど取得した鍵情報を用いて暗号化画像情報を復号化する。一方、ステップ４０４で否定判断された場合はステップ４０６に処理が進む。なお、このように一つでも識別情報が異なった場合は、直ちに処理を終了するようにしても良い。
【００４５】
次に、ＣＰＵ３３は、ステップ４０６で、記録媒体に次のＩＣタグがあるか否かを判断する。このステップで肯定判断された場合、次のＩＣタグの暗号化画像情報を取得するため、再びステップ４０３の処理が実行される。
【００４６】
一方、否定判断された場合は、ＩＣタグからの暗号化画像情報の取得が終えた場合なので、ＣＰＵ１３は、ステップ４０７で、復号化された画像情報を位置情報が示す位置に基づき結合する。
【００４７】
以上説明したように、本実施の形態では、複数のＩＣタグに分割して記録することも可能である。このことは、例えば写真画像のようにサイズが大きく、一つのＩＣタグに記録できない画像情報でも記録することが可能であることを示している。
【００４８】
なお、以上説明した各フローチャートの処理の流れは一例であり、本発明の主旨を逸脱しない範囲内で処理順序を入れ替えたり、新たなステップを追加したり、不要なステップを削除したりすることができることは言うまでもない。
【００４９】
以上説明したように、本実施の形態では、画像処理装置１０と情報処理装置（クライアント１１）とを有する画像情報提供システムであって、前記画像処理装置１０は、記録媒体に画像を形成する画像形成手段（ステップ１０１）と、前記画像を示す画像情報を暗号化した暗号化画像情報、及び該暗号化画像情報を取得可能な情報処理装置を識別する識別情報を前記記録媒体に添付されるＩＣタグに記録する記録手段（ステップ１０３）と、前記暗号化画像情報を復号化する鍵情報を、前記暗号化画像情報を取得可能な情報処理装置に提供する鍵情報提供手段（ステップ１０４）と、を有し、前記情報処理装置（クライアント１１）は、前記鍵情報提供手段により提供される鍵情報を取得する鍵情報取得手段（ステップ２０１）と、前記記録手段により前記ＩＣタグに記録された前記暗号化画像情報及び前記識別情報を取得する記録情報取得手段（ステップ２０２）と、当該情報処理装置を示す識別情報と、前記情報取得手段により取得された識別情報とが一致しているか否かを判断する判断手段（ステップ２０４）と、前記判断手段により一致していると判断された場合に、前記鍵情報取得手段により取得された鍵情報を用いて前記記録情報取得手段により取得された暗号化画像情報を復号化する復号手段（ステップ２０５）と、を有する。
【００５０】
また、前記記録媒体は、前記暗号化画像情報を分割して記録するために、分割された各々の暗号化画像情報を記録するための複数のＩＣタグを有し、前記記録手段は、前記分割された各々の暗号化画像情報を結合する際の画像位置を示す位置情報を、該画像位置情報が示す画像位置に対応する暗号化画像情報が記録されるＩＣタグに更に記録し（ステップ３０５）、前記記録情報取得手段は、前記記録手段により前記ＩＣタグに記録された前記位置情報を前記記録媒体から更に取得し（ステップ４０３）、前記復号手段は、前記鍵情報取得手段により取得された鍵情報を用いて前記記録情報取得手段により各々のＩＣタグから取得された複数の暗号化画像情報を復号化し（ステップ４０５）、前記情報処理装置は、前記復号手段により復号化された複数の画像情報を前記位置情報が示す画像位置に基づき結合する結合手段（ステップ４０７）を更に有する。
【図面の簡単な説明】
【００５１】
【図１】本実施の形態に係る画像情報提供システムを示す図である。
【図２】画像処理装置の構成を示す図である。
【図３】クライアントの構成を示す図である。
【図４】画像ＤＢを示す図である。
【図５】ＩＣタグが添付された記録媒体例を示す図である。
【図６】画像処理装置で実行される処理を示すフローチャートである（その１）。
【図７】クライアントで実行される処理を示すフローチャートである（その１）。
【図８】画像処理装置で実行される処理を示すフローチャートである（その２）。
【図９】クライアントで実行される処理を示すフローチャートである（その２）。
【符号の説明】
【００５２】
１０  画像処理装置
１１  クライアント
１２  ネットワーク
１３、３３  ＣＰＵ
１４  ＨＤＤ
２０  プリンタエンジン
２１  ＩＣタグ情報記録デバイス
４０  ＩＣタグ情報取得デバイス
【図１】
2008141584.tif 000003
【図２】
2008141584.tif 000004
【図３】
2008141584.tif 000005
【図４】
2008141584.tif 000006
【図５】
2008141584.tif 000007
【図６】
2008141584.tif 000008
【図７】
2008141584.tif 000009
【図８】
2008141584.tif 000010
【図９】
2008141584.tif 000011